(57)【要約】【課題】患者（使用者）が介護施設等で日常を過ごしている際に、患者の移動場所に応じて、腹膜透析装置を容易に搬送することができる腹膜透析装置用カートを提供する。【解決手段】腹膜透析装置用カート１は、腹膜透析装置１００を搬送する装置であって、走行用の車輪４，５を有し、腹膜透析装置用カート１を押すための一対のハンドル部６，６が後方に延びており、一対のハンドル部６，６の間の位置には、腹膜透析装置１００を載置する載置部８が配置されている。【選択図】図２
2015100558.tif 000002
【特許請求の範囲】
【請求項１】
腹膜透析装置を搬送する腹膜透析装置用カートであって、
前記腹膜透析装置を載置する載置部を有する本体と、
この本体の下端に設けた走行用の車輪と、
前記本体に取付けたハンドル部と
を備えることを特徴とする腹膜透析装置用カート。
【請求項２】
前記本体の下端に前記車輪が支持がされており、
前記本体は、両側面に縦方向に沿って延びる主フレーム部を有し、
前記両側面の主フレーム部の間に連結部材を有するとともに、該連結部材を利用して前記腹膜透析装置を載置するための載置部が設けられていて、
前記本体の適所に透析液バッグを吊り下げる吊り下げ具を備え、
吊り下げ具の配置位置は、前記載置部よりも高く設定されている
ことを特徴とする請求項１に記載の腹膜透析装置用カート。
【請求項３】
前記ハンドル部は、前記本体の両側部において、上下方向に沿って延びるフレーム部がそれぞれ配置されていて、該各フレーム部の上部領域は、把持するための部分として、前記フレーム部の上方端部が後方に延びた把持部とされることで、これら把持部どうしの間のであるカート後方領域に作業用の空間が形成され、
前記車輪には制動をかける制動装置を備え、
前記制動装置は、
ハンドル部に設けられたブレーキレバーと、
ブレーキレバーを一方に操作することにより車輪に当たって車輪の回転を止め、ブレーキレバーを他方に操作することで車輪の回転を止めた状態を維持する制動部材と
を備えることを特徴とする請求項１または２に記載の腹膜透析装置用カート。
【請求項４】
前記左右の主フレーム部の間にパイプまたは棚板を複数段設けることで、このひとつの段を利用して前記腹膜透析装置の載置部を形成し、さらにこれとは別に、腹膜灌流回路用の２本のチューブを加熱溶融して加圧接合するための無菌接合装置を載置する別の載置部を備え、好ましくは、前記無菌接合装置を載置する別の載置部は、前記腹膜透析装置を載置する前記載置部よりも高い位置に配置されていることを特徴とする請求項３に記載の腹膜透析装置用カート。
【請求項５】
前記腹膜透析装置の載置部には、該腹膜透析装置の表示部が後方に向けられて載置されるようになっており、これにより、前記作業用の空間にいる操作者が腹膜透析装置を操作できる構成としたことを特徴とする請求項２ないし４のいずれかに記載の腹膜透析装置用カート。
【請求項６】
前記無菌接合装置を載置する前記別の載置部と、前記腹膜透析装置を載置する前記載置部は、前後方向にスライド可能とされていることを特徴とする請求項４または５に記載の腹膜透析装置用カート。
【請求項７】
前記複数段の載置部を利用して、あるいは載置ではなく吊り下げ式により、使用済みの透析液を入れる排液収納容器を保持する載置部もしくは保持部が、前記本体の最も下部に配置されていることを特徴とする請求項４ないし６のいずれかに記載の腹膜透析装置用カート。
【請求項８】
前記排液収納容器の載置部に載置された前記収納容器を覆うための覆い部材を備えることを特徴とする請求項７に記載の腹膜透析装置用カート。
【請求項９】
前記腹膜透析装置から出ているチューブをまとめて保持するチューブ保持部材を有することを特徴とする請求項１ないし８のいずれかに記載の腹膜透析装置用カート。
【請求項１０】
腹膜透析装置を搬送することができるカートを有する可搬型腹膜透析装置であって、
腹膜透析装置用のカートが、
前記腹膜透析装置を載置する載置部を有する本体と、
この本体の下端に設けた走行用の車輪と、
前記本体に取付けたハンドル部と
を備えることを特徴とする可搬型腹膜透析装置。
【発明の詳細な説明】
【技術分野】
【０００１】
本発明は、腹膜透析装置等を搬送するための腹膜透析装置用カートと可搬型腹膜透析装置に関する。
【背景技術】
【０００２】
例えば、腎臓の機能の低下により血液透析を受ける必要がある患者は、週に３，４回通院して、血液透析装置により４，５時間も拘束されながら血液透析を受けている。このため、患者の利便性の観点から、患者が入所している介護施設等や自宅に腹膜透析装置を配置して、介護施設等の職員や患者自らが腹膜透析装置を操作するようになってきている。通常、自動腹膜透析装置は夜間就寝中に使用されることが多いが、チューブ閉塞等のアラーム発生時に就寝中のため患者自らが対処できず、また夜間の職員が少なかったりするために、スムースに対応出来ない場合がある。そのため介護施設等では日中に自動腹膜透析装置を稼働させることが増えている。
【先行技術文献】
【特許文献】
【０００３】
【特許文献１】特開２００９−１１６６７号公報
【発明の概要】
【発明が解決しようとする課題】
【０００４】
ところで、例えば介護施設に入所している患者は、必要に応じて、特許文献１に記載されているような腹膜透析装置が載置されている場所に移動して透析を行う。通常の腹膜透析装置は１０ｋｇ前後の重さがある重量物であるので、腹膜透析装置を移動しないで腹膜透析装置を収容棚に載置した据え置きの状態で用いる。このため、患者が透析中は、患者は腹膜透析装置が載置されている場所から離れて移動することが容易ではない。
【０００５】
従って、患者が透析中は、患者は食事やレクリエーションのために、腹膜透析装置が載置されている場所からリビング等に場所を移動することができず、腹膜透析装置の載置場所に拘束されてしまう。このため、介護施設等の職員や患者にとって、腹膜透析装置の使用勝手が悪く、患者にとって透析中は拘束感や疎外感があり、患者のストレスを招くおそれがある。
【０００６】
そこで、本発明は、患者（使用者）が介護施設等で日常を過ごしている際に、患者の移動場所に応じて、腹膜透析装置を容易に搬送することができ、患者のＱＯＬを向上できる腹膜透析装置用カートを提供することを目的とする。
【課題を解決するための手段】
【０００７】
本発明の腹膜透析装置用カートは、腹膜透析装置を搬送する腹膜透析装置用カートであって、前記腹膜透析装置を載置する載置部を有する本体と、この本体の下端に設けた走行用の車輪と、前記本体に取付けたハンドル部とを備えることを特徴とする。
上記構成によれば、重量物である腹膜透析装置を載置部に載せてハンドル部を押して搬送することができるので、患者が食事やレクリエーション等のために、腹膜透析装置が載置されている場所からリビング等に場所を移動することができ、患者は、腹膜透析装置の載置場所に拘束されることがない。このため、患者（使用者）が介護施設等で日常を過ごしている際に、患者の移動場所に応じて、腹膜透析装置を容易に搬送することができる。
【０００８】
好ましくは、前記本体の下端に前記車輪が支持がされており、前記本体は、両側面に縦方向に沿って延びる主フレーム部を有し、前記両側面の主フレーム部の間に連結部材を有するとともに、該連結部材を利用して前記腹膜透析装置を載置するための載置部が設けられていて、前記本体の適所に透析液バッグを吊り下げる吊り下げ具を備え、吊り下げ具の配置位置は、前記載置部よりも高く設定されていることを特徴とする。
上記構成によれば、透析液バッグは、吊り下げ具を用いて、腹膜透析装置用カートの本体の適所に吊り下げることができ、吊り下げ具の配置位置は、前記載置部に載置されている前記腹膜透析装置の載置位置よりも高く設定されているので、重力を利用して透析液を腹膜透析装置へ容易に導くことができ、しかもこれら透析液バッグをかなり沢山の数利用しても、腹膜透析装置用カートの重量バランスを考慮してこれらを吊り下げることができ、透析液バッグが床面に当たることがなくなる。
【０００９】
好ましくは、前記ハンドル部は、前記本体の両側部において、上下方向に沿って延びるフレーム部がそれぞれ配置されていて、該各フレーム部の上部領域は、把持するための部分として、前記フレーム部の上方端部が後方に延びた把持部とされることで、これら把持部どうしの間のであるカート後方領域に作業用の空間が形成され、前記車輪には制動をかける制動装置を備え、前記制動装置は、ハンドル部に設けられたブレーキレバーと、ブレーキレバーを一方に操作することにより車輪に当たって車輪の回転を止め、ブレーキレバーを他方に操作することで車輪の回転を止めた状態を維持する制動部材とを備えることを特徴とする。
上記構成によれば、ブレーキレバーを一方に操作すれば車輪の回転を止めることができるので、腹膜透析装置用カートを移動する際の制動操作を行える。しかも、腹膜透析装置用カートを所定の位置に移動した後は、ブレーキレバーを他方に操作することで車輪の回転を止めた状態を維持できることから、腹膜透析の際に腹膜透析装置用カートを安全に停止させておくことができる。しかもその状態で、使用者または介助者は前記作業の空間に身を置いて、可搬用腹膜透析装置等、本体に装備した物を容易に使用・操作することができる。
【００１０】
好ましくは、前記左右の主フレーム部の間にパイプまたは棚板を複数段設けることで、このひとつの段を利用して前記腹膜透析装置の載置部を形成し、さらにこれとは別に、腹膜灌流回路用の２本のチューブを加熱溶融して加圧接合するための無菌接合装置を載置する別の載置部を備え、好ましくは、前記無菌接合装置を載置する別の載置部は、前記腹膜透析装置を載置する前記載置部よりも高い位置に配置されていることを特徴とする。
上記構成によれば、腹膜透析装置だけでなく、無菌接合装置をも同時に運ぶことができ、無菌接合装置が腹膜透析装置よりも上側にあるので、無菌接合装置におけるチューブの無菌接合作業が容易に行える。
好ましくは、前記腹膜透析装置の載置部には、該腹膜透析装置の表示部が後方に向けられて載置されるようになっており、これにより、前記作業用の空間にいる操作者が腹膜透析装置を操作できる構成としたことを特徴とする。
上記構成によれば、使用者または介助者は前記作業の空間に身を置いて、可搬用腹膜透析装置を使用・操作するに当たり、きわめて使いやすい。
【００１１】
好ましくは、前記無菌接合装置を載置する前記別の載置部と、前記腹膜透析装置を載置する前記載置部は、前後方向にスライド可能になっていることを特徴とする。
上記構成によれば、無菌接合装置を載置する別の載置部と、腹膜透析装置を載置する載置部は、スライドさせて前後どちらかに引き出し、位置を変えることができるので、チューブの無菌接合作業や腹膜透析装置の操作作業等がより容易に行える。
【００１２】
好ましくは、前記複数段の載置部を利用して、あるいは載置ではなく吊り下げ式により、使用済みの透析液を入れる排液収納容器としての排液バッグ（排液タンク）を保持する載置部もしくは保持部が、前記本体の最も下部に配置されていることを特徴とする。
上記構成によれば、重量物である排液バッグが最も下部に配置されるので、腹膜透析装置用カートの重心を下げることができ、腹膜透析装置用カートの走行が安定する。
【００１３】
好ましくは、前記排液バッグの載置部に載置された前記排液バッグを覆うための覆い部材を備えることを特徴とする。
上記構成によれば、排液が収容される排液バッグを覆い部材により覆うことができるので、排液バッグは見えなくなり、排液バッグの存在を気にしなくて済む。
好ましくは、前記腹膜透析装置から出ているチューブをまとめて保持するチューブ保持部材を有することを特徴とする。
上記構成によれば、複数本のチューブをまとめることができるので、腹膜透析装置用カートの移動に支障がでない。
【００１４】
好ましくは、腹膜透析装置を搬送することができるカートを有する可搬型腹膜透析装置であって、腹膜透析装置用のカートが、前記腹膜透析装置を載置する載置部を有する本体と、この本体の下端に設けた走行用の車輪と、前記本体に取付けたハンドル部とを備えることを特徴とする。
【発明の効果】
【００１５】
本発明は、患者（使用者）が介護施設等で日常を過ごしている際に、患者の移動場所に応じて、腹膜透析装置を容易に搬送することができる腹膜透析装置用カートと可搬型腹膜透析装置を提供することができる。
【図面の簡単な説明】
【００１６】
【図１】本発明の腹膜透析装置用カートの好ましい実施形態を示す斜視図。
【図２】図１に示す腹膜透析装置用カートを矢印Ｖ方向から見た斜視図。
【図３】図１に示す腹膜透析装置用カートを矢印Ｓ方向から見た斜視図。
【図４】第２載置部の形状例と、透析液バッグの吊り下げ具の形状例を示す斜視図。
【図５】腹膜透析装置の構造例を示す斜視図。
【図６】第１載置部に載置された状態の無菌接合装置を示す斜視図。
【図７】図７（Ａ）は、各チューブをまとめて保持している様子と、排液タンクＨＴと、第２載置部に載置されている腹膜透析装置等を示す斜視図であり、図７（Ｂ）は、第３載置部に載置されている排液タンクＨＴや、吊り下げられている透析液バッグＢＧ等を示す斜視図。
【図８】腹膜透析装置用カートの制動装置の機能を示す図。
【図９】図９（Ａ）は、第１載置部には無菌接合装置等が載置され、第２載置部には腹膜透析装置が載置されている載置例を示している。図９（Ｂ）は、第１載置部には腹膜透析装置が載置され、第２載置部には無菌接合装置等が載置されている載置例を示す図。
【図１０】腹膜透析装置用カートが、例えばリビングにおいて、患者の傍に位置された状態を示す図。
【発明を実施するための形態】
【００１７】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明の腹膜透析装置用カートの好ましい実施形態を示す斜視図である。図２は、図１に示す腹膜透析装置用カートと可搬型腹膜透析装置を矢印Ｖ方向から見た斜視図である。図３は、図１に示す腹膜透析装置用カートを矢印Ｓ方向から見た斜視図である。
【００１８】
図１ないし図３を参照して、本発明の実施形態の腹膜透析装置用カート１の構造例を説明する。
図１ないし図３に示す腹膜透析装置用カート１は、腹膜透析装置１００を載置して搬送でき、必要に応じて無菌接合装置２００等を載置して同時に搬送することができる。腹膜透析装置用カート１は、腹膜透析装置用キャリアあるいは腹膜透析装置用搬送装置等ともいう。
【００１９】
腹膜透析装置（自動腹膜透析装置）１００は、腎臓の機能の低下により血液透析を受ける必要がある患者の利便性の観点から患者がいる介護施設等に配置して、介護施設等の職員や患者自身が操作して、入力された透析治療条件に基づいて自動で腹膜透析を行うためのものである。腹膜透析装置１００は、例えば１０ｋｇ前後の重さがある。このような腹膜透析装置１００を使用する場合には、患者の腹膜透析に関する臨床データとしての、尿量，排液量，残腎Ｋｔ／Ｖ，ＰＤ Ｋｔ／Ｖ（腹膜透析によるＫｔ／Ｖ），ＰＥＴ試験に基づくＣｒ Ｄ／Ｐ（血清中のクレアチニン濃度Ｐと腹膜透析排液中のクレアチニン濃度Ｄとの比）等を医師が診察し、その診察結果である処方に基づいた透析内容に従わなければならない。そこで、病院では、医師が処方内容を記載した書面あるいは処方条件を記憶した記憶カードを患者に渡し、患者は介護施設等に帰って、腹膜透析装置１００に対して処方どおりの内容を設定するかまたは記憶カード処方条件を腹膜透析装置（自動腹膜透析装置）１００の読取り部で読み取ることで、自動的に腹膜透析を受けるようにしている。
【００２０】
腹膜透析装置１００では、商用電源（ＡＣ電源）を電源にし、その主要な動作部として、腹膜透析液バッグからの送液のためのチューブや、クランプ等送液の切換部、および送液の駆動力を与えるためのダイヤフラムポンプ、腹膜透析液の加温部等をひとまとめにセットし、チューブ一式を付帯するカセット及びチューブ一式を用いている。腹膜透析装置１００を用いての透析治療は、患者の腹腔内に透析液を所定量注液し、腹腔内に所定時間貯留して、腹膜を介して透析処理を受け、その後腹腔から排液を行うようにしており、この透析液の注液、貯留、排液により１サイクルの腹膜透析処理としている。
【００２１】
また、無菌接合装置２００は、腹膜灌流回路用の２本のチューブを加熱溶断してそして加圧接合する装置である。この無菌接合装置２００は、例えば腹膜透析液バッグの透析液チューブと、腹膜透析をする際に使用される患者の腹膜カテーテル側のチューブを溶断して、無菌状態で加圧して接合するのに用いられる。無菌接合装置２００は、腹膜透析装置１００よりも軽いがそれでも重量物である。
なお、この実施形態で以下に説明する構成は、カートに腹膜透析装置を載置する構造に関するものであるから、この構造全体として可搬型腹膜透析装置を構成するものである。
【００２２】
図１に示すように、腹膜透析装置用カート１は、左右の主フレーム部２，２と、複数本の連結部材３Ａ，３Ｂ，３Ｃ，３Ｄ，３Ｅと、２つ（１対）の前輪４，４と、これよりも外径が１／２程度の２つ（１対）の後輪５，５と、左右のハンドル部６，６とを備えていて、これらの基本構造を本体、もしくは主フレーム体とすることができる。
一本あるいは、この実施形態のように複数本の連結部材（例えばパイプ）３Ａ，３Ｂ，３Ｃ，３Ｄ，３Ｅ等や棚板等を利用して、装置の載置部を形成することができ、この実施形態では、複数の載置部を設けている。例えば、このカートでは、上段の第１載置部７と、中段の第２載置部８と、下段の第３載置部９を有している。第１載置部７は、無菌接合装置２００を搭載する部分であり、第２載置部８は、腹膜透析装置１００を搭載する部分であり、そして第３載置部９は、透析液の排液を収容する排液収納容器ＨＴとしての排液バッグまたは排液タンクを搭載する部分である。
次に、ハンドル部の構成を説明する。左右の斜め縦方向に延びて、下から上へ立ち上がる主フレーム部２，２は、金属製のパイプから作られており、左右の主フレーム部２，２は、それぞれ第１支持フレーム部１１と第２支持フレーム部１２から構成されている。左側の第１支持フレーム部１１の上端部は折り曲げられて後方に延びてハンドル部６と握り部を形成している。
このハンドル部６にはブレーキレバー１０が設けられており、右側の第１支持フレーム部１１の上端部も折り曲げられて後方に延びてハンドル部６と握り部を形成している。このハンドル部６には、握り部とブレーキレバー１０が設けられている。各ハンドル部６のパイプ部分６Ａは、第１支持フレーム部１１の上端部に差し込まれており、調節ネジ６Ｎを回転して緩めることで、ハンドル部６の高さの調整を行え、再度調製ネジ６Ｎを回転して閉めることで、ハンドル部６の高さを保持できる。
この実施形態では、ハンドル部は左右同一構造の一対の折り曲げパイプで形成されているが、このように左右分離構した構造に限らず、ハンドル部は上端でカート後方をぐるりと回り込み一体として、左右後端に別体の握り部を形成するような構成としてもよい。
【００２３】
左側の第１支持フレーム部１１の下端部には、前輪４が回転可能に取り付けられており、右側の第１支持フレーム部１１の下端部にも、前輪４が回転可能に取り付けられている。しかも２つの前輪４は、腹膜透析装置用カート１を方向転換するために転回できる。各第２支持フレーム部１２の上端部１２Ａは、第１支持フレーム部１１の上端位置に連結されている。
【００２４】
図１に示すように、連結部材３Ａは、左右の第１支持フレーム部１１，１１の上端部を連結しており、連結部材３Ｂは、左右の第１支持フレーム部１１，１１の下端部を連結している。連結フレーム３Ｃは、左右の第２支持フレーム部１２，１２の上端部を連結している。各連結フレーム３Ｄは、第１支持フレーム部１１の下端部と第２支持フレーム部１２の下端部を連結している。連結部材３Ｅは、左右の第１支持フレーム部１１，１１の中間部を連結している。
このように、腹膜透析装置用カート１の左右の主フレーム部２，２は、連結部材３Ａ，３Ｂ，３Ｃ，３Ｄ，３Ｅを用いて連結により補強されているので、重量物である腹膜透析装置１００や無菌接合装置２００等を必要に応じて同時に載置して搬送することができる。
【００２５】
図１に示すように、左右のハンドル部６は、それぞれ握り部６Ｂを有している。各ハンドル部６のパイプ部分６Ａには、ブレーキレバー１０の支持部６Ｃが固定されている。ブレーキレバー１０は、被覆部材で覆われたワイヤー部材１０Ａを介して、後輪５に配置されたブレーキシュー（図１では図示せず）に連結されている。これにより、介護施設等の職員または患者自身が、ブレーキレバー１０を矢印ＲＺ方向に引き上げることにより、後輪５の回転を止めて、腹膜透析装置用カート１の動きを停止させるようになっている。
【００２６】
次に、図１から図３に示す第１載置部７と、第２載置部８と、そして第３載置部９の構造例について、順次説明する。第１載置部７は、左右の主フレーム部２，２の最上段に位置され、第２載置部８は中段に位置され、そして第３載置部９は下段に位置されている。
まず、図１から図３に示す第１載置部７の構造例を説明する。
第１載置部７は、ハンドル部６と同じ程度の高さ位置に水平になるように設けられている。第１載置部７は、支持枠２０と、この支持枠２０の上に置かれた例えば金属製の長方形状の載置板２１を有している。支持枠２０は、軽量化のためにパイプ状の２本の長い支柱２０Ａと２本の短い支柱２０Ｂと、長方形の支持枠体２０Ｃを有している。支持枠体２０Ｃは、載置板２１を保持している。
【００２７】
支持枠体２０Ｃの四隅部分は、２本の長い支柱２０Ａと２本の短い支柱２０Ｂの上端部に連結されている。２本の長い支柱２０Ａの下端部は、対応する位置の第１支持フレーム部１１の下端部に連結され、２本の短い支柱２０Ｂの下端部は、対応する位置の第１支持フレーム部１１の上端部に連結されている。
なお、図２に示すように、支持枠２０の下部には、ポケット部２９が設けられている。このポケット部２９には、透析液バッグや、その他の物を収容しておくことができる。
【００２８】
図２に示すように、このような構造を有する第１載置部７の載置板２１はこの実施形態では天板であり、この上には、例えば無菌接合装置２００等が載置できる。ただし、図２に示すように、この無菌接合装置２００等が、腹膜透析装置用カート１の移動中に位置ずれしないようにするために、載置板２１は断面凹型に形成されていて、載置板２１の四辺部分は盛り上げ部分２１Ａとなっている。これにより、無菌接合装置２００等が、腹膜透析装置用カート１の移動中に位置ずれしたり、落下するのを防止している。
【００２９】
次に、図１に示す第２載置部８の構造例と説明する。
図１に示すように、第２載置部８は、金属製あるいはプラスチック製の板状（棚板）で長方形状の部材であり、連結部材３Ｃ、３Ｅにより水平になるように固定されている。この部分はいたでなく並列するパイプで形成してもよい。第２載置部８は、例えば腹膜透析装置１００を載置するために設けられている。図１と図２に示すように、第２載置部８の後側である左右のハンドル部６側は、腹膜透析装置１００を出し入れし易いように、開放されている。
【００３０】
図４（Ａ）と図１に示すように、この第２載置部８の四隅位置には、腹膜透析装置１００が腹膜透析装置用カート１の移動中に位置ずれしないようにするために、好ましくは位置決め用の穴部８Ａを有している。この腹膜透析装置１００の底面には、四隅部分に突起部１００Ｗが設けられている。第２載置部８上に腹膜透析装置１００を置くと、これらの突起部１００Ｗが、位置決め用の穴部８Ａ内にはまりこむ。これにより、重量物である腹膜透析装置１００が、腹膜透析装置用カート１の移動中に位置ずれしたり、万が一にも落下しないようになっている。
しかも，突起部１００Ｗの形状を前後で(Ａ)、位置決め用の穴部８Ａをこれらに対応する形状とする等の工夫することなどにより、腹膜透析装置１００を、カートの進行方向に関して後方を向くように位置決めすることができる。
これにより、図２手前の空間であるハンドル部６，６の間の領域を、カートに搭載した機器の操作のために、人が位置して、作業するための好適な作業領域あるいは作業空間とすることができる。
【００３１】
次に、図１から図３に示す第３載置部９の構造例を説明する。
第３載置部９としては、図１から図３に示すように、排液収納容器である排液タンクＨＴを支持するために、例えば網状の棚を用いている。
第３載置部９は、４本の吊り下げ部材９Ａ１，９Ａ２，９Ａ３，９Ａ４により左右の主フレーム部２，２に対して固定されている。排液収納容器ＨＴは、例えば排液の状態を見て確認できるように、透明のプラスチック製の可撓性のバッグまたはある程度の強度を有するタンク（容器）である。前者の場合、排液をいったんトイレ等に流した後、折り畳んで廃棄でき、後者の場合、排液をいったんトイレ等に流した後も繰り返し使用できる。
【００３２】
図２と図３に示すように、重量物である排液タンクＨＴは、腹膜透析装置用カート１の最も下位に位置されている第３載置部９上に、ハンドル部６側から矢印Ｋ１方向に沿って載せたり、逆に矢印Ｋ２方向に降ろしたりることができる。第３載置部９の左右のハンドル部６側では、吊り下げ部材９Ａ１と９Ａ２との間、９Ａ３と９Ａ４との間は、排液収納容器である排液タンクＨＴの幅よりも２割〜５割程度大きく離間することで、排液タンクの積み下ろし作業に邪魔にならいないように設けられている。これにより、排液タンクを第３載置部９に載せたり、第３載置部９から降ろす動作が容易にできる。
しかも、排液タンクＨＴは、最下段の第３載置部９に載せることで、腹膜透析装置用カート１の重心が下がるので、腹膜透析装置１００と無菌接合装置２００を載せた腹膜透析装置用カート１の走行時の走行安定性と停止時の安定性を確保できる。ただし、第３載置部９は、網状の棚ではなく、プラスチックや金属の板状の部材であっても良い。また、このような棚でなく、フレームを利用して吊下げるようにしてもよい。
しかしながら、本実施形態の排液収納容器である排液タンクＨＴを網谷板の棚で下から覆うと、カート走行中でも、排液収納容器を傷つけることを防止することができる。
【００３３】
次に、図１から図３を参照して、吊り下げ具３０，３１について説明する。
図２と図３に例示するように、吊り下げ具３０，３１は、透析液が１０００ｍＬ〜２０００ｍＬ収納された透析液バッグＢＧをそれぞれ着脱可能に吊り下げる掛止手段である。吊り下げ具３０，３１は、透析液バッグＢＧをそれぞれ着脱可能に吊り下げるために、第１載置部７の支持枠２０に取り付けられている。
支持枠２０は、好ましくは本体のもっとも高い位置である上端の四方を囲むような枠体（楕円枠等でもよい。）であることが好ましく、少なくともカートの左右に前後方向に平行に沿って平行に延びる一対の支持枠体２０Ｃ，２０Ｃを有していることがさらに好ましい。
３つの吊り下げ具３０が、第１載置部７の支持枠２０の右側に取り付けられている。同様にして、３つの吊り下げ具３１が、第１載置部７の支持枠２０の左側に取り付けられている。吊り下げ具３０，３１の配置位置は、好ましくは第２載置部８に載置されている腹膜透析装置１００の高さ位置よりも高くなるようにしている。これにより、透析液を高い一から低い位置にある可搬性腹膜透析装置１００に重力に沿って容易に導くことができる。しかも、縦方向に長い透析液バッグＢＧを、第１載置部７の支持枠２０の左右位置に、ほぼ同数取り付けることで、腹膜透析装置用カート１の左右の重量バランスを取り、走行時に重量バランスを好適な状態にすることがでる。
吊り下げ具３０，３１は、同じ形状のものであるが、それぞれ必要に応じて、例えば吊り下げようとする透析液バッグＢＧの薬液の種類に応じて、吊り下げ具３０，３１の設置数を増減したり、異なる色の吊り下げ具３０，３１を取り付けることができる。これにより、介護従事者あるいは患者自身は、どの種類の透析液バッグＢＧをどの吊り下げ具３０，３１に吊り下げれば良いかが明確に判る。
【００３４】
各吊り下げ具３０，３１は、図４（Ｂ）に示すように、支持枠２０の支持枠体２０Ｃに対して着脱可能に取り付けられている。各吊り下げ具３０，３１は、取付基部３２と、Ｃ字型のフック部３３と、帯状の装着部３４を有している。取付基部３２とフック部３３は、例えばプラスチック製であり、円形状の取付基部３２は、フック部３３の上端部をＦ方向に回転可能に取り付けている。フック部３３は、透析液バッグＢＧの穴部ＢＨに通すことで、透析液バッグＢＧを、着脱可能に吊り下げることができる。
ただし、より好ましくは、円形状の取付基部３２は、フック部３３の上端部を回転可能しないように取り付けても良い。これにより、フック部３３は、取付基部３２に対して回転しないで常に同じ方向に向いているので、介護施設等の職員や患者自身が、フック部３３に対して透析液バッグＢＧを掛けたり、取り外したりし易いので、透析液バッグＢＧの着脱作業性が向上する。
装着部３４は、例えば面ファスナ等を用いており、装着部３４を支持枠２０の支持枠体２０Ｃに巻き付けることにより、取付基部３２を支持枠２０の支持枠体２０Ｃに対して着脱可能に取り付けることができる。各吊り下げ具３０，３１が不要な場合には、取り外すことができる。
【００３５】
図２と図３に示すように、透析液バッグＢＧは、第１載置部７の支持枠２０の右側に最大で３つ、第１載置部７の支持枠２０の左側に最大で３つ吊り下げることができる。このように、重量物である複数の透析液バッグＢＧは、第１載置部７の支持枠２０の右側と左側に振り分けて吊り下げる構造になっている。これにより、図３に示すように、腹膜透析装置用カート１を前進方向ＦＷに前進させたり、後退方向ＢＷに後退させる際に、腹膜透析装置用カート１は、左右の重量バランスが得られるので、安定して走行させることができる。
ここで、本発明の実施形態では、腹膜透析装置用カート１における右側とは、腹膜透析装置用カート１を前進方向ＦＷに前進させる際の右方をいい、腹膜透析装置用カート１における左側とは、腹膜透析装置用カート１を前進方向ＦＷに前進させる際の左方をいう。
【００３６】
図２に示すように、腹膜透析装置用カート１には、任意の位置に各種の集積用のフック部４０，４１，４２が、設けられている。各フック部４０，４１，４２は、各種の薬液チューブ１３２，１３３，１３４をまとめて保持するためのチューブ保持部材である。フック部４０は、例えばハンドル部６の付近に設けられ、フック部４１は、第２載置部８付近に設けられ、そしてフック部４２は、第２載置部８の下部に設けられている。
これにより、複数本の薬液チューブ１３２，１３３，１３４を取り回して保持することが簡単にできる。そして、腹膜透析装置用カート１を第２載置部８に載せたり降ろしたりする際に、複数本の薬液チューブ１３２，１３３，１３４の存在が邪魔にならない。また、排液バッグＨＴを第３載置部９に載せたり降ろしたりする際に、複数本の薬液チューブ１３２，１３３，１３４の存在が邪魔にならない。ただし、フック部の設定数や設定位置は、任意に選択できる。
【００３７】
また、図３に示すように、腹膜透析装置用カート１の前側には、フック部１３９が設けられている。このフック部１３９は、腹膜透析装置１００のＡＣ商用電源コード１４０をまとめて掛けて保持する。これにより、腹膜透析装置用カート１の第２搭載部８に腹膜透析装置１００を搭載して移動する際に、電源コード１４０が邪魔にならずに納めることができる。
【００３８】
次に、図５を参照して、図２示すように第２載置部８に載置される腹膜透析装置１００の例を説明する。
図５は、腹膜透析装置１００の構造例を示している。腹膜透析装置１００は、上筐体部１０２と下筐体部１０３を有している。上筐体部１０２の中央には、カラー液晶表示部１１０が配置されている。上筐体部１０２の左右位置には、開始スイッチ１１１と停止スイッチ１１２が配置されている。
図５に示すように、下筐体部３は、蓋部材１０１を備えており、この蓋部材１０１を開けることにより、カセット装着部１０４が露出する。下筐体部３のカセット装着部１０４内には、カセットＣＴが着脱可能にＳＳ方向に沿って装着できるようになっている。カセットＣＴを下筐体部３内に装着した後は、蓋部材１０１を閉じることにより、腹膜透析装置１００は図２に示す使用状態になる。  
【００３９】
図５に示すこのカセットＣＴは、プラスチックにより作られている筐体部１１２を有しており、筐体部１１２は、ポンプ部１１３と、加温部１１４と、チューブ流路の切換部１１５を備える。筐体部１１２はほぼ平板型の部材であり、ポンプ部１１３は、筐体部１１２に固定されている。ポンプ部１１３は、腹膜透析液を送液するための駆動力を発揮するもので、ダイヤフラムポンプ等が使用される。ダイヤフラムポンプとは、フランジ部材により密閉状態で収容され、空気圧で加圧又は減圧される構造のものを指す。
これにより、ダイヤフラムポンプは、腹膜透析液を送液するために、加圧すると収縮し、減圧すると膨張する。
【００４０】
図５に示すチューブ流路の切換部１１５は、筐体部１１２においてポンプ部１１３の横の位置に、固定されている。図１に示す上筐体部１０２の内部の下部には、複数のクランプ部（図５では図示せず）が設けられており、これらのクランプ部材は、チューブ流路の切換部１１５の対応する流路を適宜押すことで、腹膜透析液が通る流路の切り換えが行える。これにより、チューブ流路の切換部１１５は、カセットＣＴ内に配置された透析液流路の途中部分を、図１に示す腹膜透析装置１００の上筐体部２内に配置されたクランプ部により押さえることにより、腹膜透析液の流路を切替えて、注液処理用の流路と排液処理用の流路を切り換えることができる。図５に示す加温部１１４は、流路１１６を通る腹膜透析液を加温できる。
【００４１】
図５に示すように、チューブ１３１〜１３４の各一端部は、カセットＣＴ側に接続されている。チューブ１３１〜１３４の他端部が接続される接続対象例を、図５を参照して説明すると、例えば、チューブ１３１は、透析患者ＭＭの腹腔に対して接続され、透析患者ＭＭの腹腔に対して腹膜透析液を注液したり、透析患者ＭＭの腹腔から腹膜透析液を排液するのに用いられる。チューブ１３２は、腹膜透析液の追加注液用の透析液バッグＢＧに接続され、チューブ１３３は、複数の腹膜透析液の注液用の透析液バッグＢＧに接続されている。チューブ１３４は、使用済みの透析液を溜めておくための排液タンクＨＴに接続されている。
【００４２】
次に、図６を参照して、無菌接合装置２００について簡単に説明する。
図６に例示するように、第１載置部７の載置板２１の上には、例えば無菌接合装置２００や透析液バッグＢＧが載置されている。この透析液バッグＢＧは、チューブ１３９を有し、チューブ１３９の先端部にはコネクタＣＴが取り付けられている。一方、例えば別のチューブ１３３の一端部は、例えばカセットＣＴに接続され、チューブ１３３の他端部ＴＥは閉じている。２本のチューブ１３９、１３３は、無菌接合装置２００の装着部２２０，２２１内において重ねて装着され、加熱して切断してチューブ１３９の端部Ｔ１とチューブ１３３の端部Ｔ２を作り、その後に上下位置を回転して入れ替える。そして、端部Ｔ１、Ｔ２に熱をかけて、端部Ｔ１、Ｔ２を圧着して接合する。これにより、透析液バッグＢＧのチューブ１３９の端部Ｔ１とチューブ１３３の端部Ｔ２とを接続することができる。
【００４３】
次に、図７を参照すると、図７（Ａ）は、複数本のチューブ１３１，１３２，１３３をまとめて保持している様子と、排液収納容器である排液タンクＨＴと、第２載置部８に載置されている腹膜透析装置１００等を示す斜視である。図７（Ｂ）は、第３載置部９に載置されている排液タンクＨＴや、吊り下げられている透析液バッグＢＧ等を示す斜視図である。
図７（Ａ）に示すように、複数本のチューブ１３１，１３２，１３３は、フック部４０を用いてまとめて保持されている。このフック部４０には、複数本のチューブ１３１，１３２，１３３を配列して取り付ける配列取付け板４１を掛けることができる。
図７（Ｂ）では、排液タンクＨＴが見えないようするために、収容ケース４２と、覆いカバー４３が配置されている。収容ケース４２は、不透明な例えばプラスチック板により作られており、排液タンクＨＴを収容して周囲を囲むことで、排液タンクＨＴの周囲を覆っている。覆いカバー４３は、排液タンクＨＴの上部と前側部分を覆っている。これにより、使用した透析液を収容する排液タンクＨＴが、目に触れないよう覆うことができる。従って、排液が収容される排液タンクＨＴを覆い部材である覆いカバー４３により覆うことができるので、排液タンクＨＴは見えなくなり、排液タンクＨＴの存在を気にしなくて済む。
【００４４】
図８（Ａ）と図８（Ｂ）は、図１から図３に示す腹膜透析装置用カート１の制動装置５０の動作を示している。
図８と図１に示すように、この制動装置５０は、ブレーキレバー１０と、被覆部材で覆われたワイヤー部材１０Ａと、後輪５に配置されたブレーキシュー５５を有している。ワイヤー部材１０Ａの一端部は、ブレーキレバー１０の先端部に連結され、ワイヤー部材１０Ａの他端部は、ブレーキシュー５５の一端部に連結されている。ブレーキシュー５５は、後輪支持部５６に対して軸５７を中心にして回転可能に支持されている。
【００４５】
図８（Ａ）において、実線で示すブレーキレバー１０の通常位置ＰＰでは、ブレーキシュー５５は実線で示すように、後輪５から離れている。そして、ブレーキレバー１０を矢印ＲＺ方向にＰＬの位置まで持ち上げると、ブレーキシュー５５は軸５７を中心にして後輪５に対して押し付けられる。このため、後輪５の回転を止めることができるので、腹膜透析装置用カート１の制動ができる。このように、介護従事者または患者自身がブレーキレバー１０を矢印ＲＺ方向に引き上げることにより、後輪５の回転を止めて、腹膜透析装置用カート１の動きを停止させることができる。
【００４６】
また、図８（Ｂ）に示すように、ブレーキレバー１０を通常位置ＰＰからさらにＲＹ方向に押し下げることにより、ブレーキシュー５５は軸５７を中心にして後輪５に対して押し付けた状態の停止位置ＰＳを維持する。このように、介護施設等の職員または患者自身がブレーキレバー１０を矢印ＲＹ方向に押し下げることにより、後輪５の回転を止めて、腹膜透析装置用カート１の停止状態を維持させることができる。従って、重量物である無菌接合装置２００と腹膜透析装置１００と排液バッグＨＴを載せた腹膜透析装置用カート１を安全に停止させておくことができる。なお、ブレーキレバー１０を、停止位置ＰＳから通常位置ＰＰに持ち上げることにより、後輪５の制動状態を解除できる。
【００４７】
図９（Ａ）は、第１載置部７には無菌接合装置２００等が載置され、第２載置部８には腹膜透析装置１００が載置されている載置例を示している。逆に、図９（Ｂ）は、第１載置部７には腹膜透析装置１００が載置され、第２載置部８には無菌接合装置２００が載置されている載置例を示している。このように、無菌接合装置２００と腹膜透析装置１００は、第１載置部７と第２載置部８のいずれかに選択して載置することができる。
また、図９（Ａ）と９（Ｂ）に示すように、第１載置部７と第２載置部８は、矢印ＳＤで示すようにハンドル部６側に、すなわち腹膜透析装置用カート１の前進方向ＦＷとは反対の方向に、引き出すことができる構造を採用しても良い。これにより、第１載置部７と第２載置部８上に、無菌接合装置２００と腹膜透析装置１００を載置したり、取り除いたりする作業がさらに容易になる。
【００４８】
次に、上述した構造を有する腹膜透析装置用カート１の使用例を説明する。
まず、例えば患者の居室に置いてある無菌接合装置２００と腹膜透析装置１００を、腹膜透析装置用カート１に移す。この場合には、無菌接合装置２００の電源コードの電源プラグは、商用交流電源のコンセントからいったん取り外すとともに、腹膜透析装置１００の電源コードの電源プラグも、商用交流電源のコンセントからいったん取り外す。
【００４９】
また、図８（Ｂ）に示すように、ブレーキレバー１０を通常位置ＰＰからさらに押し下げることにより、制動部材としてのブレーキシュー５５は軸５７を中心にして後輪５に対して矢印ＲＹ方向に押し下げた状態を維持する。このように、介護施設等の職員または患者自身がブレーキレバー１０を矢印ＲＹ方向に押し下げることにより、後輪５の回転を止めて、腹膜透析装置用カート１の停止状態を維持させることができる。従って、無菌接合装置２００と腹膜透析装置１００を、腹膜透析装置用カート１に移す作業の際に、排液バッグＨＴを載せた腹膜透析装置用カート１を、安全に停止させておくことができる。そして、図２と図３に示すように、腹膜透析装置用カート１の最上段の第１載置部７には無菌接合装置２００を載置し、中段の第２載置部８には腹膜透析装置１００を載置する。
このようにして、無菌接合装置２００と腹膜透析装置１００を、腹膜透析装置用カート１の第１載置部７と第２載置部８にそれぞれ安全に載せることができる。
【００５０】
図２と図３に例示するように、吊り下げ具３０，３１は、透析液バッグＢＧをそれぞれ着脱可能に吊り下げる。吊り下げ具３０，３１は、同じ形状のものであるが、それぞれ必要に応じて、例えば吊り下げようとする透析液バッグＢＧの薬液の種類に応じて、異なる色の物を取り付けることができる。これにより、介護施設等の職員あるいは患者自身は、どの種類の透析液バッグＢＧをどの吊り下げ具３０，３１に吊り下げれば良いかが明確に判る。
図４（Ｂ）に示すように、各吊り下げ具３０，３１のフック部３３は、透析液バッグＢＧの穴部ＢＨに通すことで、透析液バッグＢＧを、着脱可能に吊り下げることができる。
【００５１】
図２と図３に示すように、透析液バッグＢＧは、第１載置部７の支持枠２０の右側に最大で３つ、第１載置部７の支持枠２０の左側に最大で３つ吊り下げることができる。このように、重量物である複数の透析液バッグＢＧは、第１載置部７の支持枠２０の右側と左側に振り分けて吊り下げる構造になっているので、図３に示すように、腹膜透析装置用カート１を前進方向ＦＷに前進させたり、後退方向ＢＷに後退させる際に、左右の重量バランスが得られるので、安定して走行させることができる。
【００５２】
図２に示すように、腹膜透析装置用カート１には、任意の位置に各種の集積用のフック部４０，４１，４２が、設けられている。各フック部４０，４１，４２は、各種の薬液チューブ１３２，１３３，１３４をまとめて保持する。フック部４０は、例えばハンドル部６の付近に設けられ、フック部４１は、第２載置部８付近に設けられ、そしてフック部４２は、第２載置部８の下部に設けられている。
これにより、複数本の薬液チューブ１３２，１３３，１３４を取り回して保持することが簡単にできる。そして、腹膜透析装置用カート１を第２載置部８に載せたり降ろしたりする際に、複数本の薬液チューブ１３２，１３３，１３４の存在が邪魔にならない。また、排液バッグＨＴを第３載置部９に載せたり降ろしたりする際に、複数本の薬液チューブ１３２，１３３，１３４の存在が邪魔にならない。
【００５３】
上述したようにして、腹膜透析装置用カート１に対する準備ができたら、介護施設等の職員や患者自身が、図８（Ｂ）に示すブレーキレバー１０を停止位置ＰＳから通常位置ＰＰに戻すに戻す。これにより、ブレーキシュー５５は後輪５から離れるので、腹膜透析装置用カート１の停止状態を解除できる。介護施設等の職員や患者自身が、左右のハンドル部６の握り部６Ｂを把持して、図３に示す前進方向ＦＷに押すことで、腹膜透析装置用カート１を押して、例えば患者の居室から移動して、例えば図１０に例示するリビングＬＧ等の居室に移動することができる。図１０は、腹膜透析装置用カート１が、例えばリビングＬＧにおいて、患者ＭＭの傍に位置された状態を示している。
【００５４】
このように、腹膜透析装置用カート１に対する準備した後に腹膜透析装置用カート１を押して移動することができるので、患者ＭＭは、例えば図１０に示すようにリビングＬＧにおいて、車いす５００に座った状態で、腹膜透析装置用カート１を患者ＭＭの傍に配置することができる。従って、患者ＭＭは、リビングＬＧにおいて、腹膜透析装置１００を用いて、医師の処方内容に従って透析を受けることができる。しかも、患者ＭＭは、リビングＬＧにおいて、この腹膜透析を受けながら、食事やレクリエーション等の行動を自由に行うことができる。
【００５５】
従って、本発明の実施形態の腹膜透析装置用カート１を用いることにより、患者が透析中は、患者が食事やレクリエーションのために、腹膜透析装置が載置されている場所からリビング等に場所を移動することができ、腹膜透析装置の載置場所に拘束されてしまうといった不都合を解消できる。
このため、介護施設等の職員や患者自身にとっては、腹膜透析装置の使用勝手が良くなり、患者にとっては拘束感や疎外感が解消でき、患者のストレスを軽減できる。このように、本発明の実施形態の腹膜透析装置用カート１を用いることにより、患者が介護施設等で日常を過ごしている際に、居場所を移動しても、腹膜透析装置を用いて透析を行うことができる。患者（使用者）が介護施設等で日常を過ごしている際に、患者の移動場所に応じて、腹膜透析装置を容易に搬送することができる
【００５６】
また、必要に応じて、図６に示すように、第１載置部７において、介護施設等の職員または患者自身が、無菌接合装置２００を用いて、透析液用のチューブを溶断して無菌状態で加圧して接合する作業を行うこともできる。
図９（Ａ）と９（Ｂ）に示すように、第１載置部７と第２載置部８は、好ましくは矢印ＳＤで示すようにハンドル部６側に、すなわち腹膜透析装置用カート１の前進方向ＦＷとは反対の方向にスライドして引き出すことができる。このため、第１載置部７と第２載置部８上に、無菌接合装置２００や腹膜透析装置１００を載置したり、無菌接合装置２００や腹膜透析装置１００を取り除いたりする作業が容易できる。
【００５７】
以上説明したように、本発明の実施形態の腹膜透析装置用カート１は、腹膜透析装置を搬送する腹膜透析装置用カートであって、走行用の車輪を有し、腹膜透析装置用カートを押すための一対のハンドル部が後方に延びており、一対のハンドル部の間の位置には、腹膜透析装置を載置する載置部が配置されている。これにより、重量物である腹膜透析装置を載置部に載せてハンドル部を押して搬送することができるので、患者が食事やレクリエーションのために、腹膜透析装置が載置されている場所からリビング等に場所を移動することができ、患者は、腹膜透析装置の載置場所に拘束されることがない。このため、患者（使用者）が介護施設等で日常を過ごしている際に、患者の移動場所に応じて、腹膜透析装置を容易に搬送することができる。
【００５８】
腹膜透析装置用カート１は、車輪に制動をかける制動装置を備え、制動装置は、ハンドル部に設けられたブレーキレバーと、ブレーキレバーを一方に引くことにより車輪に当たって車輪の回転を止め、ブレーキレバーを他方に押すことで車輪の回転を止めた状態を維持する制動部材と、を備える。これにより、ブレーキレバーを一方に引けば車輪の回転を止めることができるので、腹膜透析装置用カートを移動する際の制動操作を行え、腹膜透析装置用カートを所定の位置に移動した後は、ブレーキレバーを他方に押すことで車輪の回転を止めた状態を維持できることから、腹膜透析の際に腹膜透析装置用カートを安全に停止させておくことができる。
【００５９】
腹膜透析装置用カート１は、透析液バッグを吊り下げる吊り下げ具を腹膜透析装置用カートの進行方向に対して両側に備え、吊り下げ具の配置位置は、載置部に載置されている腹膜透析装置の載置位置よりも高く設定されている。これにより、透析液バッグは、吊り下げ具を用いて、腹膜透析装置用カートの進行方向に対して両側に吊り下げることができ、吊り下げ具の配置位置は、載置部に載置されている腹膜透析装置の高さ位置よりも高く設定されているので、腹膜透析装置用カートの重量バランスを確保でき、透析液バッグが床面に当たることがなくなる。
【００６０】
腹膜透析装置用カート１は、腹膜灌流回路用の２本のチューブを加熱溶融して加圧接合する無菌接合装置を載置する別の載置部を備え、無菌接合装置を載置する別の載置部は、腹膜透析装置を載置する載置部の上側の位置に配置されている。これにより、腹膜透析装置だけでなく、無菌接合装置をも同時に運ぶことができ、無菌接合装置が腹膜透析装置よりも上側にあるので、チューブの無菌接合作業が容易に行える。
【００６１】
腹膜透析装置用カート１は、腹膜灌流回路用の２本のチューブを加熱溶融して加圧接合する無菌接合装置を載置する別の載置部を備え、無菌接合装置を載置する別の載置部は、腹膜透析装置を載置する載置部の下側の位置に配置されている。これにより、腹膜透析装置だけでなく、無菌接合装置をも同時に運ぶことができ、腹膜透析装置が無菌接合装置よりも上側にあるので、腹膜透析装置の操作作業が容易に行える。
無菌接合装置を載置する別の載置部と、腹膜透析装置を載置する載置部は、スライド可能になっている。これにより、無菌接合装置を載置する別の載置部と、腹膜透析装置を載置する載置部は、スライドして位置を変えることができるので、チューブの無菌接合作業と腹膜透析装置の操作作業がより容易に行える。
【００６２】
使用済みの透析液を入れる排液バッグを載置する排液バッグの載置部が、最も下部に配置されている。これにより、重量物である排液バッグが最も下部に配置されるので、腹膜透析装置用カートの重心を下げることができ、腹膜透析装置用カートの走行が安定する。
排液バッグの載置部に載置された排液バッグを覆うための覆い部材を備える。これにより、排液が収容される排液バッグを覆い部材により覆うことができるので、排液バッグは見えなくなり、排液バッグの存在を気にしなくて済む。
腹膜透析装置から出ているチューブをまとめて保持するチューブ保持部材を有する。これにより、複数本のチューブをまとめることができるので、腹膜透析装置用カートの移動に支障がでない。
【００６３】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
例えば、図１ないし図３に示す腹膜透析装置用カート１には、バッテリと電動モータを配置して、電動モータの駆動力により前輪４を駆動する構造を採用しても良い。これにより、腹膜透析装置用カート１は、重量物である無菌接合装置２００と腹膜透析装置１００と排液収納容器ＨＴを搭載しているにもかかわらず、介護施設等の職員や患者自らは、腹膜透析装置用カート１を容易にしかも安全に移動することができる。
腹膜透析装置用カート１は、介護施設等の施設の他に、病院や自宅等でしようすることができ、災害時には避難所等の施設でも使用できる。
【符号の説明】
【００６４】
１・・・腹膜透析装置用カート、４・・・前輪、５・・・後輪、６・・・ハンドル部、７・・・第１載置部、８・・・第２載置部、９・・・第３載置部、１０・・・ブレーキレバー、３０，３１・・・吊り下げ具、４０，４１，４２・・・フック部（チューブ保持部材）、５０・・・制動装置、５５・・・ブレーキシュー（制動部材）、１００・・・腹膜透析装置、２００・・・無菌接合装置、ＨＴ・・・排液バッグ、ＢＧ・・・透析液バッグ、４２・・・収容ケース（覆い部材）、４３・・・覆いカバー（覆い部材）
【図１】
2015100558.tif 000003
【図２】
2015100558.tif 000004
【図３】
2015100558.tif 000005
【図４】
2015100558.tif 000006
【図５】
2015100558.tif 000007
【図６】
2015100558.tif 000008
【図７】
2015100558.tif 000009
【図８】
2015100558.tif 000010
【図９】
2015100558.tif 000011
【図１０】
2015100558.tif 000012